(57)【要約】【目的】印刷版から取り除かれた合紙を集積する合紙集積部を装置内に容易に着脱できる印刷版画像形成装置を提供することを目的とする。【構成】ＰＳ版Ｐから剥離された合紙Ａを集積する合紙集積ボックス１８の底面にキャスターが取り付けられている。収容部１９にはスロープ１０６が設けられている。キャスターの前輪１１０よりも後輪１１４の方が脚が長くなっているので、前輪１１０がスロープ１０６を登る時、合紙集積ボックス１８のベース部１４４が収容部１９の底面１０４に衝突することが回避される。【選択図】　図１０
2004142913.tif 000002
【特許請求の範囲】
【請求項１】
カセットに印刷版と交互に積層され印刷版を前記カセットから取り出す際に印刷版から取り除かれる合紙を集積する合紙集積部と、
前記合紙集積部を出し入れ可能に収納する収納部と、
を有し、合紙が取り除かれた印刷版に画像を形成する印刷版画像形成装置であって、
前記合紙集積部の底部に走行輪を設けると共に、
前記走行輪を前記収納部に案内するスロープを設け、
前記走行輪は、前輪と、該前輪が前記スロープを登るとき、印刷版画像形成装置が設置された設置面を走行して前記合紙集積部を略水平に保ち、前記収納部の底板と合紙集積部との衝突を回避するための後輪と、
を備えることを特徴とする印刷版画像形成装置。
【請求項２】
前記前輪が取り付けられた前脚が前記後輪が取り付けられた後脚より短いことを特徴とする請求項１に記載の印刷版画像形成装置。
【請求項３】
前記スロープは、前記収納部の底板に回動可能に支持されていることを特徴とする請求項１又は２に記載の印刷版画像形成装置。
【請求項４】
前記スロープが前記収納部の底板の両側に設けられ、前記スロープを水平な位置で固定する固定手段を備えることを特徴とする請求項３に記載の印刷版画像形成装置。
【請求項５】
カセットに印刷版と交互に積層され印刷版を前記カセットから取り出す際に前記印刷版から取り除かれる合紙を集積する合紙集積部が収納され、合紙が取り除かれた印刷版に画像を形成する印刷版画像形成装置であって、前記合紙集積部の側面には合紙を取り出し可能とする扉が設けられていることを特徴とする印刷版画像形成装置。
【発明の詳細な説明】
【０００１】
【発明の属する技術分野】
本発明は、合紙を集積する合紙集積部を備えた印刷版画像形成装置に関する。
【０００２】
【従来の技術】
支持体上に感光層が設けられた印刷版を用い、この印刷版の画像形成層（感光層や感熱層等）に直接レーザー光線等で画像を形成する技術が開発されてきている（印刷版画像形成装置）。このような技術では、印刷版への迅速な画像形成が可能となっている。
【０００３】
印刷版への画像形成の技術を用いる印刷版画像形成装置には、多数枚の印刷版と合紙とを交互に積層して収納しているカセットが装填されるようになっており、このカセットから印刷版と合紙とを交互に取り出し、印刷版は露光部へ、合紙は合紙集積箱へ搬送する。（例えば、特許文献１参照）
合紙集積箱は印刷版画像形成装置内に配置せずに印刷版画像形成装置の外に設置するという例が多いが、合紙集積箱の設置スペースが別に必要となる。これに対して印刷版画像形成装置内の空いたスペースに合紙集積箱を収納した場合は、合紙集積箱を収納部から引き出して集積された合紙をゴミ袋に入れ替えるという面倒な作業が必要となる。このため、合紙集積箱にキャスターを付けて、ゴミ捨て場へ合紙集積箱を押して持って行くということも考えられる。
【０００４】
しかしながら、露光部とカセット装填部の位置出しをするための位置出しバーが合紙集積箱の収納部を横切るように設けられているので、合紙集積箱の収納部を印刷版画像形成装置の設置面よりも高い位置に設けなければならない。
【０００５】
従って、合紙集積箱を収納部の床面に上げるのに労力を要するという問題があった。また、作業者が合紙を除去する作業を行えるのは装置の一側に限られていたので、装置を設置できる場所が限定されてしまうという問題もあった。
【０００６】
【特許文献１】
特開２００１−１５１３９５公報
【０００７】
【発明が解決しようとする課題】
本発明は上記事実を考慮してなされたものであり、印刷版画像形成装置に収納された合紙集積部から容易に合紙を取り出すことができるようにすることを目的とする。
【０００８】
【課題を解決するための手段】
請求項１に記載の印刷版画像形成装置は、カセットに印刷版と交互に積層され印刷版を前記カセットから取り出す際に印刷版から取り除かれる合紙を集積する合紙集積部と、前記合紙集積部を出し入れ可能に収納する収納部と、を有し、合紙が取り除かれた印刷版に画像を形成する印刷版画像形成装置であって、前記合紙集積部の底部に走行輪を設けると共に、前記走行輪を前記収納部に案内するスロープを設け、前記走行輪は、前輪と、該前輪が前記スロープを登るとき、印刷版画像形成装置が設置された設置面を走行して前記合紙集積部を略水平に保ち、前記収納部の底板と合紙集積部との衝突を回避するための後輪と、を備えることを特徴とする。
【０００９】
請求項１に記載の印刷版画像形成装置では、印刷版と合紙がカセットに交互に積層され、印刷版をカセットから取り出す際に合紙は印刷版から取り除かれる。印刷版は合紙が取り除かれた後に画像を形成され、合紙は合紙集積部に集積される。この合紙集積部には走行輪が取り付けられ、この走行輪がスロープに案内されて合紙集積部は収納部に収納され、又、引き出される。
【００１０】
ここで、走行輪の前輪がスロープを登る時、走行輪の後輪は印刷版画像形成装置が設置された設置面を走行して合紙集積部を略水平に保ち、収納部の底板と合紙集積部との衝突を回避させる。これによって、合紙集積部を印刷版画像形成装置の設置面よりも高い場所に設置された収納部に容易に収納及び引き出すことができる。
【００１１】
請求項２に記載の印刷版画像形成装置は、請求項１に記載の印刷版画像形成装置であって、前記前輪が取り付けられた前脚が前記後輪が取り付けられた後脚より短いことを特徴とする。
【００１２】
請求項２に記載の印刷版画像形成装置では、走行輪の前輪が取り付けられた前脚が、走行輪の後輪が取り付けられた後脚よりも短くなっているので、前輪がスロープを登る時、落差がキャンセルされる。このため、合紙集積部が略水平に保たれ、合紙集積部と収納部の床板との衝突を回避させる。
【００１３】
このように、走行輪を、前脚と後脚との長さに差があるというだけの単純な構成にできたので、コストダウンできる。
【００１４】
請求項３に記載の印刷版画像形成装置は、請求項１又は２に記載の印刷版画像形成装置であって、前記スロープは、前記収納部の底板に回動可能に支持されていることを特徴とする。
【００１５】
請求項３に記載の印刷版画像形成装置では、スロープが収納部の床板に回動可能に支持されている。これによって、収納部の印刷版画像形成装置の設置面からの高さが変わっても、スロープの先端が追従してこの設置面に載置されるので、合紙集積部を収納部にスムーズに案内できる。
【００１６】
請求項４に記載の印刷版画像形成装置は、請求項３に記載の印刷版画像形成装置であって、前記スロープが前記収納部の底板の両側に設けられ、前記スロープを水平な位置で固定する固定手段を備えることを特徴とする。
【００１７】
請求項４に記載の印刷版画像形成装置では、スロープが収納部の床面の両側に設けられている。このスロープは固定手段によって水平な位置で固定できる。これによって、スロープが収納部の底板として使用でき、又、台車収納部に台車を出し入れする方向を選択することができるので、装置を設置する方向、場所が限定されない。
【００１８】
請求項５に記載の印刷版画像形成装置は、カセットに印刷版と交互に積層され印刷版を前記カセットから取り出す際に前記印刷版から取り除かれる合紙を集積する合紙集積部が収納され、合紙が取り除かれた印刷版に画像を形成する印刷版画像形成装置であって、前記合紙集積部の側面には合紙を取り出し可能とする扉が設けられていることを特徴とする。
【００１９】
請求項５に記載の印刷版画像形成装置では、合紙集積部に、扉が設けられており、合紙集積部を印刷版画像形成装置から取り出さなくても合紙を合紙集積部から取り出すことができる。なお、扉を合紙集積部の両側に設けることによって、合紙の除去を行う方向を選択できるので、装置を設置する方向、場所が限定されない。
【００２０】
【発明の実施の形態】
以下に図面を参照しながら本発明の実施形態を説明する。
【００２１】
［全体構成］
図１に示すように、印刷版画像形成装置としてのＰＳ版自動露光装置１０は、ＰＳ版１を収納するカセット２０からＰＳ版１を枚葉して次工程へ供給する供給部１２、ＰＳ版１の画像形成層に画像を露光する露光部１４、供給部１２から露光部１４へＰＳ版１の受け渡しを行う受渡部１６、及び受渡部１６の下のスペースに収納され合紙２（後述する）を集積する合紙集積ボックス１８で構成されている。
【００２２】
なお、このＰＳ版自動露光装置１０の下流側には自動現像装置（図示せず）が設定可能であり、給版、露光、現像を全て自動で処理することも可能である。
【００２３】
［供給部１２］
供給部１２には３つのカセット２０が積み重ねられている。上段と中段のカセット２０はスライド移動可能とされている。これによって、後述する吸盤２８によって中段及び下段のカセット２０からＰＳ版１と共に合紙２を持ち出すことができる。なお、カセット２０は本実施形態では３段構成としているが、段数に制限はない。
【００２４】
カセット２０の上方には、枚葉搬送部２２が設けられている。この枚葉搬送部２２は、ＰＳ版１及び合紙２を吸着してカセット２０から取り出す吸着枚葉部２４と、吸着枚葉部２４で吸着したＰＳ版１を受渡部１６へ、合紙２を合紙集積ボックス１８へ送るための搬送部２６とで構成されている。
【００２５】
吸着枚葉部２４には、ＰＳ版１の搬送方向に直交する方向に沿って設けられたベースプレート（図示省略）に複数の吸盤２８が所定のピッチ間隔で配設されている。カセット２０の上部には、ベースプレートを昇降可能に吊り下げ支持すると共に、ベースプレートの吊り下げ支持用の基軸３０をＰＳ版１の搬送上流側から下流側へ略水平に移動させる移動機構が設けられている。移動機構は、前記ベースプレートを昇降させる昇降手段と、昇降手段に設けられた基軸３０を案内する一対のレール（共に図示省略）で構成されている。
【００２６】
図２に示すように、カセット２０には、ＰＳ版１が、支持体１Ａに設けられた乳剤面１Ｂを下向きにして、乳剤面Ｐ２を保護するための薄膜状シート材である合紙２と１枚ずつ交互に積層されている。なお、最上層には合紙２が配置されている。このため、吸盤２８は、合紙２に接触することになる。
【００２７】
図１に示すように、接触した時点で吸盤２８に吸着力を持たせると、上層の合紙２はもちろん、その下層のＰＳ版１（支持体１Ａ側）にも吸着力が伝えられ、合紙２とＰＳ版１が対となって吸着されて持ち上げられる。なお、吸盤２８の昇降については図中省略しているが、各段のカセット２０の高さ位置まで下降し、各カセット２０からＰＳ版１及び合紙２を吸着して上端位置まで上昇する。
【００２８】
次に、前記ベースプレートは、基軸３０を中心に図１の反時計方向に回転し始め、かつレール方向に沿って搬送方向の下流側へ移動を開始する。吸盤２８が１８０°回転すると、合紙２が下側、ＰＳ版１が上側となって、搬送ローラ３４へ受け渡される。
【００２９】
搬送ローラ３４の下流側には搬送部２６が設けられている。この搬送部２６は、搬送方向へ正転してＰＳ版１を受渡部１６へ搬送するＰＳ版搬送部３６と、逆転して合紙２ＰＳ版１から剥離する合紙剥離部３８とで構成されている。
【００３０】
図３に示すように、ＰＳ版搬送部３６は、３本のローラ４０、４２、４４と、ローラ４０、４２、４４に巻きかけられたベルト４６、及びベルト４６に当接してテンションを与えるテンションローラ４８で構成されている。ローラ４０、４２はＰＳ版の搬送経路に沿って配置され、ローラ４４はＰＳ版１の搬送経路の下方の合紙排出部５０に配置されている。
【００３１】
合紙剥離部３８は、２本のローラ５２、５４と、ローラ５２、５４に巻きかけられたベルト５６、及びベルト５６に当接してテンションを与えるテンションローラ５８で構成されている。ローラ５２はＰＳ版１の搬送経路に沿い、且つローラ４２に対向して配置されている。ローラ５４は合紙排出部５０に、ローラ４４に対向して配置されている。
【００３２】
ＰＳ版１と合紙２が合紙２を下側にして重なった状態で、搬送ローラ３４からＰＳ版搬送部３６まで搬送される。ＰＳ版１及び合紙２は、ローラ４０、４２間のベルト４６の上に乗りベルト４６の回転により合紙剥離部３８まで搬送される。
【００３３】
合紙剥離部３８のローラ５２、テンションローラ５８には移動機構が備えられており、この時点ではローラ５２はＰＳ版１の搬送経路から退避している。ＰＳ版１及び合紙２の先端がローラ５２を通過すると、ローラ５２が上昇して合紙２に当接し合紙だけを押戻してシワを発生させる。
【００３４】
図４に示すように、ローラ５２はＰＳ版１及び合紙２の搬送方向とは逆転する方向に回転されている。また、ファン５９がローラ４２、５２に対向して配置されており、風圧でＰＳ版１及び合紙２をベルト４６、５６に押し寄せている。これによって合紙２は中間部を折り畳まれるようにしてローラ４２、５２間に引き寄せられてＰＳ版１から剥離され、ベルト４６、５６に挟持されて合紙排出部５０まで搬送される。
【００３５】
図３に示すように、合紙排出部５０には、ローラ５４に対向するローラ６０が配設されている。ＰＳ版１から剥離された合紙２は、ローラ６０とローラ５４に挟持されて合紙集積ボックス１８に搬送される。
【００３６】
［合紙集積ボックス１８］
図３に示すように、合紙集積ボックス１８は箱体で底面にはキャスター（後述する）が取付けられている。合紙集積ボックス１８は、受渡部１６の下の空いたスペースである収納部１９に収納されている。
【００３７】
合紙排出部５０に対向する位置に合紙集積口６４が設けられている。この合紙集積口６４には、合紙２を合紙集積口６４に案内するガイド６６、合紙２を合紙集積ボックス１８内に引き込む引込ローラ６８が備えられている。この引込ローラ６８の搬送力によって、合紙２の合紙集積ボックス１８内での落下中の挙動が安定し、規則的に合紙集積ボックス１８内に集積される。
【００３８】
また、引込ローラ６８の引込速度は、合紙排出部５０の搬送速度よりも速くなっている。このため、合紙２は引込ローラ６８によって引張られ合紙排出部５０のローラ５４、ローラ６０ではスリップする。これによって、合紙２は合紙排出部５０で弛まずに搬送されるので、合紙排出部５０で詰まることはない。
【００３９】
合紙集積ボックス１８の上部には、矩形状板材の蓋７０が設けられている。この蓋７０は、合紙集積口６４側に設けられた支持軸７２に回動可能に連結されており、自重で蓋７０の自由端が合紙集積ボックス１８の中へ倒れ込むようになっている。
【００４０】
支持軸７０は引込ローラ６８の上側に配置されているが、蓋７０の回動範囲を制限するストッパ７４が、合紙２の搬送経路の上側に配置されている。このため、合紙２の合紙集積ボックス１８への送り込みが蓋７０によって妨げられるということはない。
【００４１】
合紙２は極めて薄く所謂「腰」が弱いので、合紙集積ボックス１８内でカールして重なり合って集積されている。このため、合紙集積ボックス１８内は隙間が多くなり、箱の容量と比較して少量であっても合紙２は合紙集積ボックス１８の上部まで積み上げられてしまう。
【００４２】
しかし、合紙２は蓋７０の高さ位置まで積み上げられると蓋７０により押し戻され、結果として合紙集積ボックス１８内に詰め込まれる。これによって、合紙２は合紙集積ボックス１８内に隙間無く効率良く集積される。
【００４３】
合紙集積口６４の上端部には投光センサ７８が配置され、合紙集積ボックス１８内の斜め下方へ光線を発している。この光線の先には、受光センサ８０が配置され、投光センサ７８からの光線を検知している。
【００４４】
蓋７０が、合紙集積ボックス１８内に隙間無く詰込まれた合紙２によって、光線が通過する高さまで押し上げられると光線を遮るため、受光センサ８０は光線を検知できなくなる。これによって、蓋７０が合紙２によって所定高さまで押し上げられたことが検出される。
【００４５】
図５に示すように、受光センサ８０は制御部１０１に接続されており、受光センサ８０から制御部１０１に検出信号が送られる。制御部１０１にはアラーム装置１０３が接続されており、制御部１０１は検出信号に基づいてアラーム装置１０３にアラームを出させる。これによって、作業者は合紙２が合紙集積ボックス１８に満杯であることを知ることが出来る。
【００４６】
図６に示すように、蓋７０の幅方向の受光センサ８０側の端部には、光線を透過させる孔である透過部７１が設けられている。このため、蓋７０が、光線が通過する高さ位置まで押し上げられても光線は遮られない。これによって、満杯のレベルを上げることができる。
【００４７】
なお、この透過部７１には、透過部７１を覆うスライド板７３と、スライド板７３をＣ方向に沿ってガイドするレール７５が設けられている。スライド板７３をＣ方向に移動させてネジ７７で固定することによって、蓋７０の幅方向（図中矢印Ｃ方向）の寸法が調整可能となっている。
【００４８】
このように、透過部７１のＣ方向の開口量を調整することによって、満杯検出のタイミングを調整して、満杯のレベルを調整することができる。また、この透過部７１を複数設けることによって、満杯検出をする前にプレ検出をすることも可能である。
【００４９】
以上、蓋７０を検出することによって合紙２の満杯検出をするようにしたので、極めて薄く集積状態が不安定となる合紙２そのものを検出する場合よりも、正確に合紙２の集積量を検出することができる。なお、合紙２は隙間無く効率良く合紙集積ボックス１８に集積されているので、隙間が空きまだ合紙２を集積できる状態で満杯検出がされることはない。
【００５０】
なお、本実施形態では、投光センサ７８及び受光センサ８０を合紙集積ボックス１８に設けたが、供給部１２、受渡部１６、又は露光部１４に設け、光線が蓋７０に当たるように合紙集積ボックス１８に穴、透明部、及び金網等を設けるという構成でもよい。
【００５１】
また、合紙２が満杯であることをアラームを出すことによって、作業者に告知するようにしたが、点滅灯や音声等で告知するようにしてもよい。
【００５２】
［合紙集積ボックスの変形例▲１▼］
図７に示すように、合紙集積ボックス７５では、合紙２を搬送ローラで強制的に送り込むのではなく、自重落下させて集積させる。蓋７６を駆動させる駆動機構が備えられており、合紙２を自重落下させる時に蓋７６を持ち上げて合紙２がボックス内へ落下できるようになっている。
【００５３】
［合紙集積ボックスの変形例▲２▼］
図８に示すように、合紙集積ボックス８１では、蓋８４の支持軸８６に円板８８が設けられている。この円板８８は透過型センサ８２の光軸の間に配置されている。円板８８には欠損部９０が設けられ、合紙２が満杯になると、欠損部９０が透過型センサ８２の光軸の位置にくるようになっている。
【００５４】
この時、光軸は欠損部９０を通り円板８８によって遮られない状態になる。これによって、合紙２が満杯であることが検出される。なお、欠損部９０を２箇所設けることによって、満杯検出をする前のプレ検出をすることが可能である。
【００５５】
［合紙集積ボックスの変形例▲３▼］
図９に示すように、合紙集積ボックス９４では、磁気センサ９２が所定高さに配置され、磁石９６が蓋９８の先端に設けられている。蓋９８が合紙２によって持ち上げられ磁石９６が磁気センサ９２の高さ位置まで上がると、磁気センサ９２が磁石９６の磁気を検出する。これによって、合紙２が満杯であることが検出される。
【００５６】
［合紙集積ボックス１８の着脱機構］
図１及び図１０に示すように、供給部１２と露光部１４は装置の設置面Ｇよりも高くなっている。また、供給部１２と露光部１４を位置決めする位置決めバー１０２が、供給部１２と露光部１４の底板１０４に取り付けられている。このため、収納部１９の底板１０４は、装置の設置面Ｇよりも高くなっている。
【００５７】
底板１０４は設置面Ｇに水平で、合紙集積ボックス１８が移動する方向（図中Ｙ方向）の入口側の端部にはスロープ１０６が設けられている。スロープ１０６は蝶番１０８で底板１０４に回動可能に支持されている。このため、底板１０４の設置面Ｇからの高さに合わせてスロープ１０６を倒すことができるので、底板１０４から設置面Ｇまでの高低さによらず合紙集積ボックス１８を収納部１９に容易に昇降できる。
【００５８】
合紙集積ボックス１８の底面には、合紙集積ボックス１８が収納部１９に収納されている時に、底板１０４のＹ方向の奥側の端部に位置する一対のキャスター（以後、前輪）１１０、入口側の端部に位置する一対のキャスター（以後、中輪）１１２、及び底板１０４の入口側の外に位置する一対のキャスター（以後、後輪）１１４が設けられている。
【００５９】
前輪１１０、中輪１１２は、脚２００が同じ長さで、後輪１１４は前輪１１０、中輪１１２よりも脚２０２が長くなっている。そして、合紙集積ボックス１８が収納部１９に収納されている時、後輪１１４が、設置面Ｇから浮くように脚２０２の長さを設定することで、合紙集積ボックス１８は、設置面Ｇからの影響を受けないので、底板１０４に対して水平になっている。
【００６０】
収納部１９の奥側の側面１１６と、側面１１６に対向する合紙集積ボックス１８の側面１１８には、それぞれ電源供給部１２０、１２２が設けられている。電源供給部１２０、１２２には接点板１２４、１２６が設けられ、合紙集積ボックス１８を収納部１９に収納したとき、これらは接触する。
【００６１】
これによって、合紙集積ボックス１８が収納部１９に収納されると、装置側から電源が供給されるので、投光センサ７８、受光センサ８０、及び引込ローラ６８を作動させることが出来る。また、合紙集積ボックス１８を収納部１９から取り外すと、電源供給が切断される。
【００６２】
また、図１１に示すように、収納部１９には合紙集積ボックス１８の図中Ｙ方向に沿い且つ合紙集積ボックス１８の両側となる位置に、合紙集積ボックス１８を案内するガイド１３４、１３６が設けられている。ガイド１３４、１３６は共に台形状の板材で、収納部１９の入口側にはテーパー１３４Ａ、１３６Ａが形成され間口が広がっている。このため、合紙集積ボックス１８が収納部１９へ収納しやすくなっている。
【００６３】
図１１及び図１２に示すように、ガイド１３６は図中Ｙ方向に直交する方向（Ｘ方向）に移動可能に支持ピン１３９で支持され、圧縮コイルバネ１３８で収納部１９の内側へ付勢されている。これによって、合紙集積ボックス１８はガイド１３６でガイド１３４に押し当てられＸ方向に位置決めされる。
【００６４】
また、図１２に示すように、ガイド１３４、１３６の図中Ｙ方向の奥側の端部には、突起１４０が設けられている。合紙集積ボックス１８には、突起１４０に係合する凹部１４２が設けられている。突起１４０と凹部１４２が係合することによって、合紙集積ボックス１８は収納部１９のＹ方向に位置決めされる。
【００６５】
このように、合紙集積ボックス１８を収納部１９に位置決めすることによって、合紙集積ボックス１８とＰＳ板自動露光装置１０側とのギヤの連結（後述する）や電気的な接続等が可能となる。また、投光センサ７８及び受光センサ８０を装置側に設けた場合に、光軸を合紙集積ボックス１８の所望の位置に通過させることが可能となる。
【００６６】
なお、ガイド１３６がＸ方向に移動可能に支持され、突起１４０は両側が緩やかに傾斜した山型をしているので、合紙集積ボックス１８は突起１４０を乗り越えながら移動することができる。
【００６７】
ここで、合紙集積ボックス１８がスロープ１０６を登る時の動作について説明する。
【００６８】
図１３に示すように、合紙集積ボックス１８は収納部１９の外では、前輪１１０と後輪１１４で支えられるので合紙集積ボックス１８は前輪１１０側に傾いている。この状態から前輪１１０がスロープ１０６を登っていくと、合紙集積ボックス１８の前輪１１０側が高くなっていき、図１４に示すように、登り終わると、合紙集積ボックス１８はほぼ水平な状態となる。
【００６９】
この時、合紙集積ボックス１８のベース部１４４と底板１０４とのクリアランスが十分に取られている。この状態で、合紙集積ボックス１８は略水平に移動するので、ベース部１４４と底板１０４の衝突は回避されている。これによって、合紙集積ボックス１８を押し引きするだけで設置面Ｇよりも高い位置の収納部１９内に昇降できる。
【００７０】
このように、合紙集積ボックス１８を収納部１９から取り出せるように構成したので、合紙２を合紙集積ボックス１８から取り出す作業が容易になる。また、合紙集積ボックス１８を収納部１９に出し入れする機構を上述したように単純化できたので、コストダウンできる。
【００７１】
［合紙集積ボックスの着脱機構の変形例▲１▼］
本実施形態では、センサが合紙集積ボックス１８に設けられていることもあって、装置側から供給された電源によって引込ローラ６８を駆動させる構成としたが、変形例▲１▼では、図１５及び図１６に示すように、合紙排出部５０の駆動源から駆動が伝達されるように構成されている。
【００７２】
引込ローラ６８の同軸上にギア１２８が設けられ、合紙排出部５０のローラ５４の同軸上にギア１３０が設けられている。これらが噛み合って合紙排出部５０から引込ローラ６８に駆動が伝達される。
【００７３】
引込ローラ６８の軸方向の両端部を回転可能に支持する軸受６９は、矩形状の支持板８１、８３に固定されている。支持板８１、８３の下端部はレール８５、８７でギア１２８とギア１３０が接離する方向（図中矢印Ｄ方向）に水平移動可能に支持されている。
【００７４】
支持板８１には、固定ブロック８９が設けられており、上部には凹部９１が形成されている。凹部９１は両側がテープになっており、上部が広くなっている。この凹部９１に嵌合する固定レバー９３が、受渡部１６に上下動可能に設けられている。固定レバー９３が下降すると、凹部９１は、テーパー部を固定レバー９３のテーパー部に押されて合紙排出部５０側へ移動する。固定レバー９３と凹部９１が嵌合すると、ギア１２８とギア１３０が噛み合い合紙排出部５０から引込ローラ６８に駆動が伝達される。
【００７５】
また、合紙集積ボックス１８には、支持板８１、８３を矢印Ｄ方向に付勢する板バネ９５が設けられている。このため、固定レバー９３による支持板８１、８３の固定を解除すると、支持板８１、８３は自動的に合紙排出部５０から離れる方向に移動し、ギア１２８とギア１３０との噛み合いが解除される。これによって、合紙集積ボックス１８を収納部１９に着脱する際、ギア１２８とギア１３０の歯が衝突して破損することはない。
【００７６】
［合紙集積ボックスの着脱機構の変形例▲２▼］
図１７に示すように、スロープ１３１が両側に設けられ、スロープ１３１は板材１３２で水平に底板１０４にネジで固定できるようになっている。これによって、合紙集積ボックス１８の着脱作業を行う方向を選択できるので、装置を設置する場所、方向が限定されない。
【００７７】
［合紙集積ボックスの着脱機構の変形例▲３▼］
図１８に示すように、合紙集積ボックス１４６は、合紙集積ボックス１４６の側面に扉１４８が設けられている。このため、合紙集積ボックス１４６を取り出さなくても、合紙集積ボックス１４６から合紙２を取り出すことができる。
【００７８】
また、扉１４８は合紙集積ボックス１４６の両側に設けられている。これによって、合紙２を取り出す方向を選択できるので、装置を設置する場所、方向が限定されない。
【００７９】
［受渡部１６］
図１に示すように、受渡部１６には、ＰＳ版１の搬送経路に沿って配置された３本のローラ１５２、１５４、１５６と、ローラ１５２、１５４、１５６に巻きかけられたベルト１５８とで構成されている。この受渡部１６は、供給部１２で合紙２を剥離されたＰＳ版１を露光部１４へ搬送する。
【００８０】
［露光部１４］
図１に示すように、露光部１４は、ＰＳ版１を周面に巻付けて保持する回転ドラム１６０を主要部として構成されている。回転ドラム１６０は、図示しない駆動手段によって、副走査方向へ回転し（図１の矢印Ａ方向）、又、副走査方向と反対方向となるＰＳ版１の取り外し方向（図１の矢印Ｂ方向）へ回転可能とされている。
【００８１】
回転ドラム１６０の上方には、搬送ガイドユニット１６２が設けられている。搬送ガイドユニット１６２は、略四角形形状である給版ガイド１６４と排版ガイド１６６とからなる。給版ガイド１６４、排版ガイド１６６は他端を中心に回動して一端がそれぞれ回転ドラム１８に接触し、又、離れるように構成されている。即ち、給版ガイド１６４と排版ガイド１６６とは、ＰＳ版１の搬送方向の上流側が開放した略Ｖ字型となるように配置され、ＰＳ版１が回転ドラム１６０へスムーズに搬送されるようになっている。
【００８２】
搬送ガイドユニット１６２の上方には、パンチャー１６８が設けられている。このパンチャー１６８は、給版ガイド１６４で送り込まれたＰＳ版１の先端に位置決め用の切り欠きを形成するようになっている。パンチャー１６８がＰＳ版１の先端に切り欠きを形成すると、ＰＳ版１は一旦給版ガイド１６４に戻される。
【００８３】
回転ドラム１６０の外周面には、先端チャック１７０が取付けられている。先端チャック１７０の上方には装着ユニット１７２が設けられている。装着ユニット１７２の伸縮ロッド１７４が先端チャック１７０の先端部又は後端部を押圧することで、先端チャック１７０が回転ドラム１６０の外周から離間するようになっている。
【００８４】
これによって、ＰＳ版１が給版ガイド１６４によって回転ドラム１６０の接線方向から回転ドラム１６０の外周上に搬送されると、ＰＳ版１の先端が先端チャック１７０と回転ドラム１６０の外周との間に挿入され、切り欠きが先端チャック１７０に掛かり、位置決めされる。
【００８５】
ＰＳ版１の位置決めが行われると、伸縮ロッド１７４が回動し、先端チャック１７０の先端部の押圧が解除され、先端チャック１７０の後端部がＰＳ版１の先端を押圧し、回転ドラム１６０の外周に保持する。回転ドラム１６０の外周にＰＳ版１の先端が保持されると、回転ドラム１６０が図１の矢印Ａ方向へ回転し、ＰＳ版１が回転ドラム１６０の外周に巻き付けられる。
【００８６】
回転ドラム１６０の外周面近傍には、装着ユニット１７２よりも図４の矢印Ａ方向側に、スクイズローラ１７６が配設されている。スクイズローラ１７６は、回転ドラム１６０の外周面に対し接離するようになっている。回転ドラム１６０の外周面にＰＳ版１を巻付ける時、スクイズローラ１７６が回転ドラム１６０の外周面に向けて移動する。これによって、ＰＳ版１は回転ドラム１６０へ向けて押圧され、回転ドラム１６０の外周に密着する構成となっている。
【００８７】
また、回転ドラム１６０の外周近傍には、先端チャック１７０と搬送ガイドユニット１６２との間に、後端チャック着脱ユニット１７８が配設されている。後端チャック着脱ユニット１７８はシャフト１８０を有し、シャフト１８０は回転ドラム１６０へ向けて移動可能とされている。
【００８８】
シャフト１８０の先端には後端チャック１８２が装着されており、回転ドラム１６０に巻付けたＰＳ版１の後端が後端チャック着脱ユニット１７８に対向すると、シャフト１８０が後端チャック１８２を回転ドラム１６０側へ移動させて回転ドラム１６０の所定の位置に装着すると同時にシャフト１８０から後端チャック１８２が離脱される。これにより、後端チャック１８２がＰＳ版１の後端部を押圧して、回転ドラム１６０の外周にＰＳ版１の後端部が保持される。
【００８９】
先端チャック１７０及び後端チャック１８２によってＰＳ版１の先端部及び後端部が回転ドラム１６０に保持されると、スクイズローラ１７６が回転ドラム１６０から離間し、回転ドラム１６０が所定の回転速度で高速回転する。回転ドラム１６０の回転の同期によって記録ヘッド部１８４から画像データに基づいて変調した光線がＰＳ版１へ照射され、ＰＳ版１が画像データに基づいて走査露光される。
【００９０】
ＰＳ版１への走査露光が終了すると、後端チャック１８２が後端チャック着脱ユニット１７８に対向する位置で回転ドラム１６０を一時停止させて、回転ドラム１６０から後端チャック１８２を取り外す。これにより、ＰＳ版１の後端が開放される。
【００９１】
その後、回転ドラム１６０をＰＳ版１の取出し方向へ回転させることで、ＰＳ版１は後端側から回転ドラム１６０の接線方向に沿って搬送ガイドユニット１６２の排版ガイド１６６へ排出され、次工程の現像装置へ搬送される。
【００９２】
なお、本実施形態及び変形例では、ＰＳ版から取り除かれた合紙を集積する例について説明したが、ＰＳ版以外にフォトポリマー版、サーマルプレート等の種々の印刷版も適用可能である。
【００９３】
【発明の効果】
本発明は上記構成にしたので、印刷版画像形成装置に収納された合紙集積部から容易に合紙を取り出すことができる。
【図面の簡単な説明】
【図１】本実施形態に係るＰＳ版自動露光装置を示す断面図である。
【図２】本実施形態に係るＰＳ版自動露光装置で処理されるＰＳ版及び合紙の積層状態を示す図である。
【図３】本実施形態に係るＰＳ版自動露光装置を示す断面図である。
【図４】本実施形態に係るＰＳ版自動露光装置で処理される合紙がＰＳ版から剥離されている状態を示す図である。
【図５】本実施形態に係るＰＳ版自動露光装置で合紙の満杯状態を知らせる機構を示すブロック図である。
【図６】本実施形態に係るＰＳ版自動露光装置の合紙集積ボックスの蓋を示す斜視図である。
【図７】本実施形態の変形例に係るＰＳ版自動露光装置の合紙集積ボックスを示す断面図である。
【図８】本実施形態の変形例に係るＰＳ版自動露光装置の合紙集積ボックスを示す断面図である。
【図９】本実施形態の変形例に係るＰＳ版自動露光装置の合紙集積ボックスを示す断面図である。
【図１０】本実施形態に係るＰＳ版自動露光装置の合紙集積ボックス及び収納部を示す断面図である。
【図１１】本実施形態に係るＰＳ版自動露光装置を示す概略図である。
【図１２】本実施形態に係るＰＳ版自動露光装置の合紙集積ボックス及び収納部を示す概略図である。
【図１３】本実施形態に係るＰＳ版自動露光装置の合紙集積ボックスを示す図である。
【図１４】本実施形態に係るＰＳ版自動露光装置の合紙集積ボックス及び収納部を示す断面図である。
【図１５】本実施形態の変形例に係るＰＳ版自動露光装置の伝達機構を示す断面図である。
【図１６】本実施形態の変形例に係るＰＳ版自動露光装置の伝達機構を示す斜視図である。
【図１７】本実施形態の変形例に係るＰＳ版自動露光装置の合紙集積ボックス及び収納部を示す断面図である。
【図１８】本実施形態の変形例に係るＰＳ版自動露光装置の合紙集積ボックスを示す斜視図である。
【符号の説明】
１　　　ＰＳ版（印刷版）
２　　　合紙
１０　　ＰＳ版自動露光装置（印刷版画像形成装置）
１８　　合紙集積ボックス（合紙集積部）
１９　　収納部
２０　　カセット
１０４　底板
１０６　スロープ
１１０　前輪（走行輪）
１１２　中輪（走行輪）
１１４　後輪（走行輪）
１３２　板材（固定手段）
１４６　合紙集積ボックス（合紙集積部）
１４８　扉
２００　脚
２０２　脚
Ｇ　　　設置面
【図１】
2004142913.tif 000003
【図２】
2004142913.tif 000004
【図３】
2004142913.tif 000005
【図４】
2004142913.tif 000006
【図５】
2004142913.tif 000007
【図６】
2004142913.tif 000008
【図７】
2004142913.tif 000009
【図８】
2004142913.tif 000010
【図９】
2004142913.tif 000011
【図１０】
2004142913.tif 000012
【図１１】
2004142913.tif 000013
【図１２】
2004142913.tif 000014
【図１３】
2004142913.tif 000015
【図１４】
2004142913.tif 000016
【図１５】
2004142913.tif 000017
【図１６】
2004142913.tif 000018
【図１７】
2004142913.tif 000019
【図１８】
2004142913.tif 000020